(57)【要約】【課題】未使用時には自在に形状を変更可能としつつ、使用時には所定の形状に変形する静電型スピーカを提供する。【解決手段】  静電型スピーカ１においては、導電布２０Ｌ、弾性部材３０Ｌ、振動体１０、弾性部材３０Ｕ、導電布２０Ｕの順番に部材が重ねられ、糸４０が重ねられた部材を貫くようにして各部材が縫い合わされている。また、導電布２０Ｕの縁部分には通電による発熱で所定形状に変形する形状記憶部材４５Ａ〜４５Ｄが配置されている。形状記憶部材４５Ａ〜４５Ｄに電流が流されると、形状記憶部材４５Ａ〜４５Ｄが直線形状に変形して静電型スピーカ１が矩形に広げられる。一方、形状記憶部材４５Ａ〜４５Ｄに電流が流れていない時には形状記憶部材４５Ａ〜４５Ｄが柔らかくなって自在に変形可能となり、静電型スピーカ１を折り畳んだり縮めたりするなど自在に変形させることができる。【選択図】図３
2009194442.tif 000002
【特許請求の範囲】
【請求項１】
導電性を有する布状の第１電極と、
導電性を有し、前記第１電極に対向して離間配置された布状の第２電極と、
導電性を有し、前記第１電極と前記第２電極との間に位置する振動体と、
前記振動体と前記第１電極との間に位置し、絶縁性と、弾性および音響透過性を有する第１弾性部材と、
前記振動体と前記第２電極との間に位置し、絶縁性と、弾性および音響透過性を有する第２弾性部材と、
前記第１電極、前記第１弾性部材、前記振動体、前記第２弾性部材、および前記第２電極が互いにずれないように拘束する拘束部材と、
導電性を有して通電時の発熱で所定の記憶形状に変形し、未通電時には自在に変形可能な形状記憶部材と
を有し、
前記形状記憶部材が発熱して所定の記憶形状に変形するときに該変形に伴って前記第１電極、前記第１弾性部材、前記振動体、前記第２弾性部材、および前記第２電極が変形すること
を特徴とする静電型スピーカ。
【請求項２】
前記形状記憶部材が変形した時には伸張し、前記形状記憶部材が自在に変形可能となった時には収縮して前記第１電極、前記第１弾性部材、前記振動体、前記第２弾性部材、および前記第２電極を縮める収縮部材をさらに有することを特徴とする請求項１に記載の静電型スピーカ。
【請求項３】
前記振動体にバイアス電流が流れているときには前記形状記憶部材にも電流が流れ、前記振動体にバイアス電流が流れていないときには前記形状記憶部材にも電流が流れないことを特徴とする請求項１または請求項２に記載の静電型スピーカ。
【発明の詳細な説明】
【技術分野】
【０００１】
本発明は、静電型スピーカに関する。
【背景技術】
【０００２】
スピーカの分野においては、静電型スピーカと呼ばれるスピーカがある。この静電型スピーカは、間隔を開けて向かい合う２枚の電極と、この２枚の電極の間に挿入された導電性を有するシート状の振動体とから構成されており、振動体に所定のバイアス電圧を印加しておき、電極に印加する電圧を変化させると、振動体に作用する静電力が変化し、これにより振動体が変位する。この印加電圧を入力される音響信号に応じて変化させれば、それに応じて振動体は変位を繰り返し（すなわち振動し）、音響信号に応じた再生波が振動体から発生する。
そして、このような静電型スピーカにおいては、非特許文献１に記載されているように、２枚の電極および振動体を柔らかい材料のものとし、様々な形に変形させることができるフレキシブル形の静電型スピーカや、非特許文献２に記載されているように柔らかい生地を電極にした静電型スピーカも考案されている。
【０００３】
【非特許文献１】武岡成人、外５名、「コンデンサマイク／スピーカを用いた１ｂｉｔ波面記録再生システム」、電子情報通信学会技術研究報告．ＥＡ，応用音響、電子情報通信学会、平成１７年６月、ｐｐ．２５−３０
【非特許文献２】＜Ａ＆Ｖフェスタ  ２００６レポート：１ビットオーディオ＞ＩＥＥＥ１３９４を用いた１ｂｉｔ配信システムを展示、［online］、２００６年９月２１日、Phile-web編集部、［２００７年８月２３日検索］、インターネット、<http://www.phileweb.com/news/d-av/200609/21/16653.html>
【発明の開示】
【発明が解決しようとする課題】
【０００４】
さて、非特許文献１，２に記載されているフレキシブル形の静電型スピーカは、周縁部が拘束されていないエッジレスとなっており、電極および振動体は拘束されていないため自由に曲げることができ、使用していない時には折り曲げて収納しておくことも可能である。一方、拘束されておらず自在に曲げることが可能であるが故に、折り曲げた後で再び使用する際には人の手で広げる必要があり、また、使用時には面の形状が維持されるように形状を固定させる必要がある。
【０００５】
本発明は、上述した背景の下になされたものであり、未使用時には自在に形状を変更可能としつつ、使用時には所定の形状に変形する静電型スピーカを提供することを目的とする。
【課題を解決するための手段】
【０００６】
上述した課題を解決するために本発明は、導電性を有する布状の第１電極と、導電性を有し、前記第１電極に対向して離間配置された布状の第２電極と、導電性を有し、前記第１電極と前記第２電極との間に位置する振動体と、前記振動体と前記第１電極との間に位置し、絶縁性と、弾性および音響透過性を有する第１弾性部材と、前記振動体と前記第２電極との間に位置し、絶縁性と、弾性および音響透過性を有する第２弾性部材と、前記第１電極、前記第１弾性部材、前記振動体、前記第２弾性部材、および前記第２電極が互いにずれないように拘束する拘束部材と、導電性を有して通電時の発熱で所定の記憶形状に変形し、未通電時には自在に変形可能な形状記憶部材とを有し、前記形状記憶部材が発熱して所定の記憶形状に変形するときに該変形に伴って前記第１電極、前記第１弾性部材、前記振動体、前記第２弾性部材、および前記第２電極が変形することを特徴とする静電型スピーカを提供する。
【０００７】
本発明においては、前記形状記憶部材が変形した時には伸張し、前記形状記憶部材が自在に変形可能となった時には収縮して前記第１電極、前記第１弾性部材、前記振動体、前記第２弾性部材、および前記第２電極を縮める収縮部材をさらに有していてもよい。
また、本発明においては、前記振動体にバイアス電流が流れているときには前記形状記憶部材にも電流が流れ、前記振動体にバイアス電流が流れていないときには前記形状記憶部材にも電流が流れないようにしてもよい。
【発明の効果】
【０００８】
本発明によれば、静電型スピーカを、未使用時には自在に形状を変更可能としつつ、使用時には所定の形状に変形させることができる。
【発明を実施するための最良の形態】
【０００９】
図１は、本発明の一実施形態に係る静電型スピーカ１の外観を模式的に示した図、図２は、静電型スピーカ１の断面および電気的構成を模式的に示した図、図３は、静電型スピーカ１の分解斜視図である。図に示したように、この静電型スピーカ１は、振動体１０、導電布２０Ｕ，２０Ｌ、弾性部材３０Ｕ，３０Ｌ、糸４０、形状記憶部材４５Ａ〜４５Ｄおよび導線４６とで構成されている。なお、図２，３においては糸４０の図示を省略している。
なお、本実施形態においては、弾性部材３０Ｕ，３０Ｌの構成は同じであるため、両者を区別する必要が特に無い場合は「Ｌ」および「Ｕ」の記載を省略する。また、図中の振動体、導電布等の各構成要素の寸法は、構成要素の形状を容易に理解できるように実際の寸法とは異ならせてある。また、図中、「○」の中に「・」が記載されたものは図面の裏から表に向かう矢印を意味し、「○」の中に「×」が記載されたものは図面の表から裏に向かう矢印を意味するものとする。
【００１０】
（静電型スピーカ１の各部の構成）
まず、静電型スピーカ１を構成する各部について説明する。振動体１０は、例えば、ＰＥＴ（polyethylene terephthalate、ポリエチレンテレフタレート）、ＰＰ（polypropylene、ポリプロピレン）などのフィルムに、金属膜を蒸着あるいは導電性塗料を塗布したものであり、その厚さは、数μｍ〜数十μｍ程度の厚さとなっている。
【００１１】
弾性部材３０は、中綿を熱を加えて圧縮したものであって弾性と通気性があり、その形状は矩形となっている。弾性部材３０は、外部から力を加えられると変形し、外部から加えられた力が取り除かれると元の形状に戻る。なお、本実施形態においては、弾性部材３０のＸ方向およびＹ方向の長さは、導電布２０ＬのＸ方向およびＹ方向の長さより長くなっており、また、振動体１０のＸ方向およびＹ方向の長さより長くなっている。また、弾性部材３０Ｕと弾性部材３０ＬのＺ方向の高さは、いずれも同じとなっている。なお、弾性部材３０は、外部から力を加えられると変形し、外部から加えられた力が取り除かれると元の形状に戻る素材であって通気性があれば中綿以外の素材であってもよく、例えば、合成樹脂をスポンジ状や不織布状にしたものなどであってもよい。
【００１２】
形状記憶部材４５Ａ〜４５Ｄは、断面が円形で線状の形状記憶合金の表面を絶縁性と耐熱性を有する合成樹脂で被覆した部材である。形状記憶部材４５Ａと形状記憶部材４５Ｂとの間、形状記憶部材４５Ｂと形状記憶部材４５Ｃとの間、形状記憶部材４５Ｃと形状記憶部材４５Ｄとの間は絶縁性と耐熱性を有する合成樹脂で表面が被覆された導線４６で接続されている。
ここで、この形状記憶合金は、例えば特開２００２−２０８４８号公報に開示されている形状記憶合金であり直線状の状態を記憶している。形状記憶部材４５Ａ〜４５Ｄは、電流が流れるとジュール熱により温度が上昇し、硬く収縮して記憶している形状に変形する。一方、形状記憶部材４５Ａ〜４５Ｄは、電流を流すのを止めると温度が下がり、柔らかくなって容易に変形可能となる。
【００１３】
導電布２０Ｕ，２０Ｌは、導電性を有する経糸と、同じく導電性を有する緯糸を織った布である。導電布２０Ｕ，２０Ｌは、平織りされて空気の通過が可能となっているため、音響透過性が確保されている。なお、導電布２０Ｌの形状は矩形となっているが、導電布２０Ｕは、縁部が形状記憶部材４５Ａ〜４５Ｄを包むように折り曲げられるため、組み立て前の状態においては図３に示したように矩形の４隅を面取りした形状となっている。
糸４０は、導電布２０Ｕ，２０Ｌ、弾性部材３０および振動体１０を縫い合わせるための糸（拘束部材）であり、その素材は、木綿など導電性を有さない素材となっている。
【００１４】
（静電型スピーカ１の組み立て方法）
次に静電型スピーカ１の組み立て方法について説明する。静電型スピーカ１を組み立てる際には、まず、弾性部材３０Ｌの各辺が導電布２０Ｌの各辺より外側に位置するようにして、弾性部材３０Ｌを導電布２０Ｌの上に載せる。次に、弾性部材３０Ｌの上に振動体１０を載せる。なお、振動体１０を弾性部材３０Ｌの上に載せる際には、振動体１０の各辺が弾性部材３０Ｌの各辺より内側に位置するようにして弾性部材３０Ｌの上に載せる。
【００１５】
そして、弾性部材３０Ｕの各辺が振動体１０の各辺より外側に位置するようにしつつ、弾性部材３０Ｕと弾性部材３０Ｌの四隅の位置が重なるようにして弾性部材３０Ｕを振動体１０の上に載せる。ここで、弾性部材３０のＸ方向およびＹ方向の長さは、振動体１０のＸ方向およびＹ方向の長さより長いため、矩形の振動体１０の各辺は、弾性部材３０Ｕと弾性部材３０Ｌとの間からはみ出すことなく、弾性部材３０Ｕ，３０Ｌとの間に位置する。
【００１６】
次に、形状記憶部材４５Ａ〜４５Ｄを導電布２０Ｕの各辺に沿って配置し、導電布２０Ｕの縁部を形状記憶部材４５Ａ〜４５Ｄおよび導線４６を包むように折り曲げた後、糸４０で導電布２０Ｕの縁部を導電布２０Ｕに縫い付ける。なお、本実施形態では形状記憶部材４５Ａ〜４５Ｄを導電布２０Ｕの縁部分で包んで導電布２０Ｕに配置しているが、接着剤や粘着テープなどで形状記憶部材４５Ａ〜４５Ｄを導電布２０Ｕに接着して配置するようにしてもよい。
【００１７】
次に、形状記憶部材４５Ａ〜４５Ｄおよび導線４６を縁部に有する導電布２０Ｕを弾性部材３０Ｕの上に載せる。導電布２０Ｕを弾性部材３０Ｕの上に載せる際には、導電布２０Ｕの各辺が弾性部材３０Ｕの各辺より内側に位置するようにしつつ、導電布２０Ｕと導電布２０Ｌの四隅の位置がＺ方向で見て重なるようにして弾性部材３０Ｕの上に導電布２０Ｕを載せる。
【００１８】
そして、導電布２０Ｕ，２０Ｌ、振動体１０および弾性部材３０を重ね終えた後、各部材が糸４０で縫い合わされる。各部材は、図１に示したように各部材を貫いた糸４０で縫い合わされて拘束されるため、変形させても導電布２０Ｕ，２０Ｌ、弾性部材３０および振動体１０がずれることがない。また、絶縁性を有する弾性部材３０は、振動体１０および導電布２０Ｕ，２０Ｌより面積が広くなっており、弾性部材３０の各辺は、振動体１０および導電布２０Ｕ，２０Ｌの各辺より外側に位置するため、導電布２０Ｕ，２０Ｌと振動体１０とが接触して短絡することがない。
【００１９】
（静電型スピーカ１の電気的構成）
次に、静電型スピーカ１の電気的構成について説明する。図２に示したように、静電型スピーカ１は変圧器５０、外部から音響信号が入力される入力部６０、振動体１０に対して直流バイアスを与えるバイアス電源７０とを備えている。バイアス電源７０は、振動体１０と、変圧器５０の出力側の中点と接続されており、２つの導電布２０Ｕ，２０Ｌはそれぞれ変圧器５０の出力側の一端および他端に接続されている。
また、静電型スピーカ１は、形状記憶部材４５Ａ〜４５Ｄに電流を流す電源８０と、スイッチ８１を備えている。電源８０は、形状記憶部材４５Ｄとスイッチ８１の端子の一端に接続されており、スイッチ８１において電源８０に接続されていない側の端子は形状記憶部材４５Ａに接続されている。
【００２０】
（静電型スピーカ１の動作）
静電型スピーカ１においては、スイッチ８１がオフの状態では電源８０と形状記憶部材４５Ａとの間の導通がなく電流が電源８０から形状記憶部材４５Ａ〜４５Ｄに流れない。形状記憶部材４５Ａ〜４５Ｄは、電流が流れていない時には柔らかくなって自在に変形可能であり、また、振動体１０、導電布２０Ｕ，２０Ｌおよび弾性部材３０は柔軟性があるため、未使用時には折り畳んだり縮めたりするなど自在に変形させることができる。
一方、スイッチ８１がオンとなると、電流が電源８０から形状記憶部材４５Ａ〜４５Ｄに流れ、形状記憶部材４５Ａ〜４５Ｄにおいて電流が流れるとジュール熱により各形状記憶部材の温度が上昇する。形状記憶部材４５Ａ〜４５Ｄは、温度が上昇すると硬く収縮し、記憶している直線形状に変形する。ここで、静電型スピーカ１においては、形状記憶部材４５Ａ〜４５Ｄが導電布２０Ｕ，２０Ｌの各辺に沿って位置しているため、形状記憶部材４５Ａ〜４５Ｄが直線状に変形すると、人の手で形状を整えなくとも各辺が直線状になり、静電型スピーカ１が矩形に広がることとなる。
【００２１】
静電型スピーカ１が矩形に広げられた状態で入力部６０に音響信号が入力されると、入力された音響信号に応じた電圧が導電布２０Ｕ，２０Ｌに印加される。そして、印加された電圧によって導電布２０Ｕと導電布２０Ｌとの間に電位差が生じると、振動体１０には導電布２０Ｕと導電布２０Ｌのいずれかの側へ引き寄せられるような静電力が働く。すなわち、振動体１０は音響信号に応じて同図のＺ方向に変位し(撓み)、その変位方向が逐次変わることによって振動となり、その振動状態（振動数、振幅、位相）に応じた音が振動体１０から発生する。発生した音は、少なくとも導電布２０Ｕ，２０Ｌの一方を通り抜けて静電型スピーカ１の外部に放射される。
【００２２】
本実施形態においては、静電型スピーカ１を構成する振動体１０、導電布２０Ｕ，２０Ｌおよび弾性部材３０は、糸４０により拘束されているため、スイッチ８１をオフにして静電型スピーカ１を変形させても導電布２０Ｕ，２０Ｌ、弾性部材３０および振動体１０がずれることがない。
また、振動体１０、導電布２０Ｕ，２０Ｌおよび弾性部材３０は柔軟性があり、形状記憶部材４５Ａ〜４５Ｄは、電流が流れていない時には柔らかくなって自在に変形可能であるため、スイッチ８１をオフにして静電型スピーカ１を使用していない時には自在に変形させることができ、小さくして収納することができる。
一方、スイッチ８１をオンにすると、人の手を煩わすことなく、形状記憶部材４５Ａ〜４５Ｄにより静電型スピーカ１を所定の矩形に広げて使用することができる。
【００２３】
［変形例］
以上、本発明の実施形態について説明したが、本発明は上述した実施形態に限定されることなく、他の様々な形態で実施可能である。例えば、上述の実施形態を以下のように変形して本発明を実施してもよい。
【００２４】
本発明においては、形状記憶部材４５Ａ〜４５Ｄを形成する形状記憶合金は、電流が流れることにより温度が上昇して記憶している形状に変形するものであれば、上記で説明した形状記憶合金以外の形状記憶合金であってもよい。
【００２５】
上述した実施形態においては、形状記憶部材４５Ａ〜４５Ｄは発熱したときに直線状に変形しているが、曲線状に変形してもよい。この構成によれば静電型スピーカ１を使用時に曲面状にすることもできる。
【００２６】
上述した実施形態においては、バイアス電源７０と電源８０とで２つの電源を要しているが、バイアス電源７０から分圧して形状記憶部材４５Ａ〜４５Ｄに電流を流し、電源を一つにするようにしてもよい。この構成において静電型スピーカ１を使用する時のみスイッチでバイアス電源７０から電流が流れるようにすれば、静電型スピーカ１の電源を入れるだけで静電型スピーカ１を広げることができる。また、バイアス電源７０が入れられておらず静電型スピーカ１が発音不可となっている状態では形状記憶部材４５Ａ〜４５Ｄに電流が流れないため、発音させないとき無駄に静電型スピーカ１を広げることがなく消費電力を抑えることができる。
【００２７】
また、本発明においては、導電布２０Ｕ，２０Ｌ、弾性部材３０および振動体１０の形状は矩形に限定されるものではなく、多角形、円形、楕円形など、他の形状であってもよい。また、本発明においては、感電や短絡を防ぐため、非導電性で音響透過性を有する布で静電型スピーカ１の全体を覆ってもよい。
【００２８】
上述した実施形態においては、糸４０で各部材を縫い合わせているが、導電布２０Ｕから導電布２０Ｌにかけて各部材の縁部分を覆うテープ（拘束部材）で各部材の縁部分を拘束し、静電型スピーカ１の変形時に各部材がずれないようにしてもよい。
【００２９】
また、本発明に係る導電布２０Ｕ，２０Ｌは、経糸または緯糸のいずれか一方のみが導電性を有する糸であってもよい。
また、導電布２０Ｕ，２０Ｌの経糸と緯糸においては、全てを導電性を有する糸にせず、数本おきに導電性を有する糸を織るようにしてもよい。
また、本発明においては、導電性を有しない糸を平織りし、平織りした布に導電性を有する金属をメッキして導電布２０Ｕ，２０Ｌを形成してもよい。
また、本発明においては、導電布２０Ｕ，２０Ｌは、導電性を有する金属でメッキされた糸を織って形成されたものであってもよい。
また、本発明においては、芯糸に錫メッキされた銅箔を巻き付けたものを織って導電布２０Ｕ，２０Ｌを形成してもよい。
また、本発明に係る導電布２０Ｕ，２０Ｌは、導電性を有しているのであれば不織布であってもよい。
また、上述した形状記憶合金を糸状にして導電布２０Ｕ，２０Ｌに織り込み、この糸状にした形状記憶合金に電流を流して直線状に変形させるようにしてもよい。
【００３０】
上述した実施形態においては、導電布２０Ｕの各辺に沿って形状記憶部材４５Ａ〜４５Ｄが位置しているが、Ｘ方向に沿った形状記憶部材４５Ｂ，４５Ｄのみが導電布２０Ｕの縁部分に配置されるようにしてもよく、また、Ｙ方向に沿った形状記憶部材４５Ａ，４５Ｃのみが導電布２０Ｕの縁部分に配置されるようにしてもよい。
また、上述した実施形態においては、導電布２０Ｕの各辺に沿って形状記憶部材４５Ａ〜４５Ｄが位置しているが、導電布２０Ｕの対角線に沿って形状記憶部材が位置するようにしてもよい。
また、形状記憶部材４５Ｂ，４５Ｄと平行に複数の形状記憶部材が導電布２０Ｕと弾性部材３０Ｕの間に位置するようにしてもよく、また、形状記憶部材４５Ａ，４５Ｃと平行に複数の形状記憶部材が導電布２０Ｕと弾性部材３０Ｕの間に位置するようにしてもよい。
また、形状記憶部材４５Ａ〜４５Ｄは、導電布２０Ｕの縁部分だけでなく導電布２０Ｌの縁部分にも配置して、静電型スピーカ１の両面を用いて静電型スピーカ１を広げるようにしてもよい。
また、形状記憶部材４５Ａ〜４５Ｄは、導電布２０Ｕ，２０Ｌではなく弾性部材３０Ｕと弾性部材３０Ｌの両方または弾性部材３０Ｕ，３０Ｌのいずれかに配置するようにしてもよい。
【００３１】
また、形状記憶部材４５Ａ〜４５Ｄと同じ素材で形成されて非通電時に対角線の長さより長い形状記憶部材４５Ｅ，４５Ｆの端部を、導電布２０Ｌの対角線上の頂点の部分に固定し、静電型スピーカ１を使用する際には、形状記憶部材４５Ｅ，４５Ｆに通電するようにしてもよい。なお、この構成においては形状記憶部材４５Ｅの中点部分と形状記憶部材４５Ｆの中点部分とを固着するようにしてもよい。
この構成においては、形状記憶部材４５Ｅ，４５Ｆに通電すると形状記憶部材４５Ｅ，４５Ｆの温度が上昇する。形状記憶部材４５Ｅ，４５Ｆは、温度が上昇すると記憶している直線形状に変形し、静電型スピーカ１の頂点部分が対角線方向へ広げられる。
【００３２】
なお、形状記憶部材４５Ｅ，４５Ｆについては、導電布２０Ｕにおいて弾性部材３０Ｕに接している面と反対側の面に端部を固着し、直線形状に変形した時の長さが対角線の長さより長くなるようにしてもよい。この構成にあっては、形状記憶部材４５Ｅ，４５Ｆは通電時に直線上に変形しようとするが、図４に示したように端部が静電型スピーカ１Ａの頂点部分に固定されており対角線の長さより長いため、形状記憶部材４５Ｅ，４５Ｆは直線状にならずに反りが生じる。ここで、形状記憶部材４５Ｅ，４５Ｆが、直線状になろうとする力により静電型スピーカ１Ａの頂点部分が対角線方向へ広げられ、所定の矩形に広げられて使用することができる。
【００３３】
上述した実施形態においては、Ｙ方向に沿った２辺に沿って形状記憶部材４５Ａ，４５Ｃが位置するようにしつつ、収縮した状態の金属製のコイルバネ４７（収縮部材）をＹ方向に沿わせてコイルバネ４７の端部を静電型スピーカ１のＹ方向の両端部に固定するようにしてもよい。
この構成の静電型スピーカ１Ｂにおいては、形状記憶部材４５Ａ，４５Ｃに電流が流れている状態では、図５に示したように形状記憶部材４５Ａ，４５Ｃがコイルバネ４７の収縮力に抗して直線状に変形し、Ｙ方向に広げられる。
一方、この状態から形状記憶部材４５Ａ，４５Ｃに電流が流れなくなると、形状記憶部材４５Ａ，４５Ｃが柔らかくなって自在に変形可能となる。形状記憶部材４５Ａ，４５Ｃが柔らかく変形可能になると、形状記憶部材４５Ａ，４５Ｃに電流が流れていた時に伸張していたコイルバネ４７が収縮し、人の手によらずコイルバネ４７の力で静電型スピーカ１Ｙ方向に縮められる。
【００３４】
また、図６に示したように、形状記憶部材４８の一端を床面に固定しつつ、形状記憶部材４８のもう一方の端部を静電型スピーカ１Ｃの一辺に固定し、静電型スピーカ１Ｃにおいて形状記憶部材４８が固定された側と反対側の一辺を天井に固定するようにしてもよい。
なお、本変形例において静電型スピーカ１Ｃは、静電型スピーカ１Ｂと同様にコイルバネ４７を有しているものの、形状記憶部材４５Ａ〜４５Ｄを備えていない構成となっている。また、形状記憶部材４８は、例えば、特開２００２−２０８４８号公報に開示されている形状記憶合金で形成されたコイル状の部材である。
この構成においては、形状記憶部材４８に電流が流れると形状記憶部材４８の温度が上昇し、コイルバネ４７の収縮力に抗して形状記憶部材４８は記憶している長さに収縮する。形状記憶部材４８が収縮すると、図６に示したように静電型スピーカ１Ｃが天井から床方向へ広げられ、平面となって発音が可能となる。
一方、形状記憶部材４８に電流が流れなくなると形状記憶部材４８は温度が下降して柔らかくなる。ここで、形状記憶部材４８に電流が流れていた時に伸張されていたコイルバネ４７が収縮し、人の手によらず形状記憶部材４８が引き延ばされて静電型スピーカ１Ｃが縮められる。
【００３５】
上述した構成では、静電型スピーカ１の未使用時にコイルバネ４７で静電型スピーカを縮めているが、例えばゴムバンドなど、弾性を有して伸張・収縮する部材をコイルバネ４７に替えて縮めるようにしてもよい。
【図面の簡単な説明】
【００３６】
【図１】本発明の一実施形態に係る静電型スピーカ１の模式図である。
【図２】静電型スピーカ１の断面図である。
【図３】静電型スピーカ１の分解斜視図である。
【図４】本発明の変形例に係る静電型スピーカ１Ａの模式図である。
【図５】本発明の変形例に係る静電型スピーカ１Ｂの模式図である。
【図６】本発明の変形例に係る静電型スピーカ１Ｃの側面と配置例を示した図である。
【符号の説明】
【００３７】
１，１Ａ〜１Ｃ・・・静電型スピーカ、１０・・・振動体、２０Ｕ，２０Ｌ・・・導電布（第１電極、第２電極）、３０Ｕ，３０Ｌ・・・弾性部材（第１弾性部材、第２弾性部材）、４０・・・糸（拘束部材）、４５Ａ〜４５Ｆ・・・形状記憶部材、４６・・・導線、４７・・・コイルバネ、４８・・・形状記憶部材、５０・・・変圧器、６０・・・入力部、７０・・・バイアス電源、８０・・・電源、８１・・・スイッチ。
【図１】
2009194442.tif 000003
【図２】
2009194442.tif 000004
【図３】
2009194442.tif 000005
【図４】
2009194442.tif 000006
【図５】
2009194442.tif 000007
【図６】
2009194442.tif 000008